(57)【特許請求の範囲】
【請求項１】
液体を吸入する吸入口と、吸入された液体を吐出する吐出口とを備え、液体の吸入方向と吐出方向とが略直交するポンプにおいて、
前記吸入口の下方において、長手方向が前記吸入方向と略同じ方向になるように配置された軸と、
前記軸を中心に回転する円盤形状の羽根車であって、前記吸入方向から見た場合の前記円盤形状における中央の領域である中央領域以降から半径方向に放射状に形成された複数の羽根を有し、前記軸の方向を高さ方向とした場合に前記複数の羽根が前記吐出口と略同じ高さになるように配置され、前記軸を中心に回転することによって前記吸入口から液体を吸入して前記吐出口から吐出する羽根車と、
前記羽根車の前記中央領域に配置されて前記軸を受ける軸受であって、前記高さ方向で前記吐出口の高さに位置して前記吸入口から吸入された液体を前記吐出口に案内する案内部を有する軸受と
を備え、
前記羽根車は、
前記円盤形状の上側を構成し、中央部に前記吸入口から吸入される液体が吸い込まれる円形の開口である吸込穴であって前記吸入方向から見た場合の前記中央領域をなす吸込穴が形成された上側羽根プレートと、
前記円盤形状の下側を構成し、前記上側羽根プレートに対向して配置される下側羽根プレートと
を備えると共に、
前記複数の羽根は、前記上側羽根プレートと前記下側羽根プレートとの間に形成され、
前記軸受は、
前記上側羽根プレートの前記吸込穴に嵌り、かつ、側面が前記吸込穴の周縁に密着する中空の円筒部を有すると共に、前記羽根車と一体に回転することを特徴とするポンプ。
【請求項２】
前記軸受は、
前記案内部として、前記円筒部の下側に引き続いて形成されると共に前記円筒部の肉厚よりも厚い肉厚の厚肉円筒部であって、前記軸に対して略直角方向に前記肉厚に複数の貫通孔が形成された厚肉円筒部を備えたことを特徴とする請求項１記載のポンプ。
【請求項３】
液体を吸入する吸入口と、吸入された液体を吐出する吐出口とを備え、液体の吸入方向と吐出方向とが略直交するポンプにおいて、
前記吸入口の下方において、長手方向が前記吸入方向と略同じ方向になるように配置された軸と、
前記軸を中心に回転する円盤形状の羽根車であって、前記吸入方向から見た場合の前記円盤形状における中央の領域である中央領域以降から半径方向に放射状に形成された複数の羽根を有し、前記軸の方向を高さ方向とした場合に前記複数の羽根が前記吐出口と略同じ高さになるように配置され、前記軸を中心に回転することによって前記吸入口から液体を吸入して前記吐出口から吐出する羽根車と、
前記羽根車の前記中央領域に配置されて前記軸を受ける軸受であって、前記高さ方向で前記吐出口の高さに位置して前記吸入口から吸入された液体を前記吐出口に案内する案内部を有する軸受と
を備え、
前記羽根車は、
前記円盤形状の上側を構成し、中央部に前記吸入口から吸入される液体が吸い込まれる円形の開口である吸込穴であって前記吸入方向から見た場合の前記中央領域をなす吸込穴が形成された上側羽根プレートと、
前記円盤形状の下側を構成し、前記上側羽根プレートに対向して配置される下側羽根プレートと
を備えると共に、
前記複数の羽根は、前記上側羽根プレートと前記下側羽根プレートとの間に形成され、
前記軸受は、
前記案内部として、複数の羽根を備えたことを特徴とするポンプ。
【請求項４】
前記軸受は、
前記複数の羽根の形状が、前記羽根車の前記羽根の形状に対応した形状であることを特徴とする請求項３記載のポンプ。
【請求項５】
前記軸受は、
前記吸入口側で前記軸の一方の端部を受けると共に前記案内部を有する上側軸受と、
前記吸入口の反対側で前記軸の他方の端部を受ける下側軸受と
を備えたことを特徴とする請求項１〜４のいずれかに記載のポンプ。
【請求項６】
前記ポンプは、
前記吸入口が形成された上側ケーシングと、
前記上側ケーシングによって前記軸まわりの回転を拘束されて支持されるスラストワッシャーと
を備え、
前記軸受は、
前記円筒部の上側の端面と、前記スラストワッシャーと、前記スラストワッシャーを支持する前記上側ケーシングの支持部とによって、スラスト軸受を構成することを特徴とする請求項１または２のいずれかに記載のポンプ。
【請求項７】
請求項１〜請求項６のいずれかに記載のポンプを備えたヒートポンプ装置。
【発明の詳細な説明】
【技術分野】
【０００１】
この発明は、液体を搬送するポンプおよびポンプを備えたヒートポンプ装置に関するものである。
【背景技術】
【０００２】
図１５は、ヒートポンプ装置に使用される従来（特許文献１の図２）のポンプの断面図である。このポンプは、ステータ部１７と、ロータ部２１と、ポンプ部２６と、軸２７とを備える。軸２７の下端部は下ケーシング１５に、上端部は上ケーシング２４の軸支持部にそれぞれ自在に回転しないように拘束固定されていて、その周囲をロータ部２１が自在に回転する。ロータ部２１は、外周側に磁石部２０、内周側に軸受１８を具備し、磁石部２０と軸受１８は熱可塑性樹脂などの結合部材１９により一体に成形されている。この結合部材１９は羽根プレート下２５ｂも同時に形成している。さらに羽根プレート上２５ａと羽根プレート下２５ｂの間に、中心から放射状に複数の円弧状やインボリュート曲線状に形成した羽根２５ｃを挟み込むことにより羽根車２５を形成させている。羽根車２５が回転することにより、液体に遠心力を作用させて液体が吸入口２２から吐出口２３へ圧送される。
【０００３】
軸支持部３５は逆円錐状の複数の脚形状を成し、軸２７の位置及びスラスト力を受けるスラストワッシャー２８の位置を保持する機能を有し、羽根プレート上２５ａの吸込穴３６の中に嵌め入れている。
【０００４】
ステータ部１７は電磁鋼板を積層して形成される鉄心１０と、この鉄心１０のスロット（図示せず）にインシュレータ１２（絶縁部材）を介して巻回される巻線１１と、リード線１４を接続した回路基板１３と、略釜形状の下ケーシング１５とを備える。回路基板１３は、ステータ部１７の反ポンプ部側付近に配置される。略釜形状の下ケーシング１５の凹部に、ロータ部２１が収まる。また、下ケーシング１５の凹部の中心部に、軸が嵌る軸孔１５ａを形成させている。
【先行技術文献】
【特許文献】
【０００５】
【特許文献１】特開２００８−２１５７３８号公報
【発明の概要】
【発明が解決しようとする課題】
【０００６】
（羽根有効長）
従来のヒートポンプ装置に使われるポンプ（特許文献１）では、軸支持部３５は逆円錐状を成した複数の脚状をなしている。そして、この軸支持部３５は、軸２７及びスラスト力を受けるスラストワッシャー２８の位置を保持するため、羽根プレート上２５ａの吸込穴３６の中に嵌め入れている。すなわち、羽根車２５の中央には吸入口２２とほぼ同等の径の吸込穴３６があけられている。そのため、その部分（吸込穴３６）の容積がポンプの液体圧送に対して無効となる。つまり吸込穴３６をあけたぶんだけ羽根２５ｃの有効長さが短くなるため、ポンプ効率向上の妨げとなるという課題があった。
【０００７】
（推力）
また羽根プレート上２５ａの吸込穴３６は、吸入口２２とほぼ同等の径であるため（吸込穴３６と吸入口２２との内径同士が略同じ）、羽根プレート下２５ｂより羽根プレート上２５ａ側の表面の面積が小さくなり、羽根プレート２５ｂの上下に圧力差が生じ、推力が働く。そのため、この推力によるスラスト軸受の摺動による摩擦損失や、スラスト軸受の磨耗が大きく、ポンプ効率が低い、ポンプ寿命が短い、という課題があった。
【０００８】
（還流）
また羽根プレート上２５ａと上ケーシング２４との間に隙間があるため、羽根車２５によって外周方向に圧送された液体の一部が吐出口２３に向かわず吸入口２２へ還流して、ポンプ効率の低下を招くという課題があった。
【０００９】
この発明は、羽根有効長さを吸入口内径側に延長し、またスラスト軸受の摩擦損失を減らし、さらに吸入口への液体の還流を防止して、高効率で高寿命なポンプ及びヒートポンプ装置を提供することを目的とする。
【課題を解決するための手段】
【００１０】
この発明のポンプは、
液体を吸入する吸入口と、吸入された液体を吐出する吐出口とを備え、液体の吸入方向と吐出方向とが略直交するポンプにおいて、
前記吸入口の下方において、長手方向が前記吸入方向と略同じ方向になるように配置された軸と、
前記軸を中心に回転する円盤形状の羽根車であって、前記吸入方向から見た場合の前記円盤形状における中央の領域である中央領域以降から半径方向に放射状に形成された複数の羽根を有し、前記軸の方向を高さ方向とした場合に前記複数の羽根が前記吐出口と略同じ高さになるように配置され、前記軸を中心に回転することによって前記吸入口から液体を吸入して前記吐出口から吐出する羽根車と、
前記軸を受ける軸受であって、前記羽根車の前記中央領域に配置され、前記吸入口から吸入された液体を前記吐出口に案内する案内部を有する軸受と
を備えたことを特徴とする。
【発明の効果】
【００１１】
この発明により、羽根有効長さが実質的に吸入口の内径側に延長されたポンプを提供できる。
【図面の簡単な説明】
【００１２】
【図１】実施の形態１におけるポンプ１１０の使用態様を示す図。
【図２】実施の形態１におけるポンプ１１０の断面図。
【図３】実施の形態１における羽根車を説明するための図。
【図４】実施の形態１における吸入口２２のＸ方向矢視。
【図５】実施の形態１における軸受１８−１の斜視図。
【図６】実施の形態１における軸受１８−１の平面図と正面図。
【図７】実施の形態１における軸受１８−１の平面図。
【図８】実施の形態１における軸受１８−１のＢ−Ｂ断面、Ｃ−Ｃ断面。
【図９】実施の形態２におけるポンプ１２０の断面図。
【図１０】実施の形態２における軸受１８−２の斜視図。
【図１１】実施の形態２における軸受１８−２の平面図。
【図１２】実施の形態３におけるポンプ１３０の断面図。
【図１３】実施の形態３における上側軸受１８−３ａの斜視図。
【図１４】実施の形態３における上側軸受１８−３ａの平面図、断面図。
【図１５】従来技術を示す図。
【発明を実施するための形態】
【００１３】
実施の形態１．
図１〜図８を参照して実施の形態１のポンプ１１０を説明する。
図１は、実施の形態１のポンプ１１０の使用態様を示す図である。図１に示すように、
ポンプ１１０は例えばヒートポンプ装置に使用される。
図２は、ポンプ１１０の断面図（縦断面図）である。
図３は羽根車２５を説明するための図である。図３の（ａ）は、図２のＸ方向（液体の吸入方向）から見た場合の羽根車２５の羽根２５ｃの概要を示すための図である。図３の（ｂ）は、図３の（ａ）のＡ−Ａ断面である。
図４は、図２のＸ方向から見た場合の上ケーシングの軸孔２４ａの構成例を示す図である。図４では上ケーシングの軸孔２４ａは、４本の脚を持つ脚（２４ａ−１）を持つ形状としているが一例である。軸２７が嵌り、かつ、吸入される液体に対して大きな抵抗とならない形状であればよい。
図５はポンプ１１０の軸受（１８−１）の斜視図である。
図６は、軸受（１８−１）の平面図（Ｘ方向矢視相当）、正面図である
図７は、図６の平面図（図６の（ａ））に、破線で貫通孔（１８−１ｃ）を示した図である。
図８は、図６の（ｂ）におけるＢ−Ｂ断面、Ｃ−Ｃ断面を示す。
【００１４】
（ヒートポンプ装置１００）
図１に示すように、ヒートポンプ装置１００は、冷媒を圧縮する圧縮機１、熱交換器３ａ，３ｂ等で構成される。ヒートポンプ装置１００は、冷媒９が流れる冷媒回路５を有する。例えば、熱交換器３ａは放熱器であり、熱交換器３ａ、熱交換器３ａによって加熱された温水を利用する熱利用機器１０１及びポンプ１１０が配管で接続されて、液体８が流れる液体回路４が構成される。熱利用機器１０１の例としては、液体を貯めておくタンクや、床暖房パネルなどの外部発熱体がある。
【００１５】
（ポンプ１１０の構成）
ポンプ１１０は、軸２７及び上側の軸受（１８−１）がロータ部２１と一体となって回転する構成である。
【００１６】
図２を用いてポンプ１１０の構成を説明する。ポンプ１１０は、ステータ部１７、ロータ部２１、ポンプ部２６、軸２７を備える。軸２７は固定（回転が拘束）されている。軸２７を中心に、ロータ部２１が回転する。
【００１７】
（ステータ部１７）
（１）ステータ部１７の構成を説明する。ステータ部１７は、複数の所定の形状に打ち抜いた電磁鋼板を積層して形成される略ドーナッツ形状の鉄心１０と、この鉄心１０のスロット（図示せず）にインシュレータ（絶縁部材）１２を介して巻回される巻線１１と、リード線１４を接続した回路基板１３と、略釜形状の下ケーシング１５とを備える。回路基板１３は、ステータ部１７の一方の軸方向端部（反ポンプ部２６側）付近に配置される。（２）ステータ部１７は、巻線１１を巻いた鉄心１０と回路基板１３とをモールド樹脂１６を用いて一体成形され、ステータ部１７の外郭はモールド樹脂１６にて形成されている。（３）ステータ部１７と、ロータ部２１とで、例えば、ブラシレスＤＣモータを構成する。
【００１８】
（ロータ部２１）
ロータ部２１は、軸受（１８−１）、結合部材１９、磁石部２０からなる。中心部に軸受（１８−１）が配置され、軸受（１８−１）の外側に樹脂製の結合部材１９が配置され、結合部材１９の外側に結合部材１９で軸受（１８−１）と結合された磁石部２０が配置される。
【００１９】
（ポンプ部２６）
ポンプ部２６は、吸入口２２、吐出口２３を有する上ケーシング２４と、羽根車２５とを備える。液体回路４は、吸入口２２と吐出口２３とに接続される。
【００２０】
略釜形状の下ケーシング１５の凹部に、ロータ部２１が収まる。また、下ケーシング１５の凹部の中心部に、軸２７が嵌る軸孔１５ａを形成されている。尚、軸２７は回転しないように、軸孔１５ａに挿入している。そのために、軸孔１５ａに挿入する軸２７の円形の一部を切り欠いている。
【００２１】
下ケーシング１５に固定された軸２７に、ロータ部２１の軸受（１８−１）を挿入し、更にその上部にスラストワッシャー２８を設置し、スラストワッシャー２８と軸受（１８−１）の端面（１８−１ｄ）は接触してスラスト軸受を形成する。そしてスラストワッシャー２８を貫通した軸２７のポンプ部２６側端部を、上ケーシング軸孔２４ａに挿入して上下ケーシングで囲われたポンプ部２６を構成する。羽根車２５を固定したロータ部２１は、軸２７の周囲に回転自在に配置される。
【００２２】
下ケーシング１５と上ケーシング２４とで囲まれる空間は液体回路４の液体で満たされる。そのため、ロータ部２１、羽根車２５、軸２７、スラストワッシャー２８はポンプ１１０を流れる液体に触れる構造となっている。ポンプ１１０は、ポンプ１１０内部を流れる液体がブラシレスＤＣモータのロータ部２１に接するキャンド方式である。
【００２３】
軸受（１８−１）は、羽根車２５の中心部（中心領域２５ｄ）を貫通し、羽根プレート上２５ａより吸入口２２側に突出した形状を成す。
軸受（１８−１）は、この突出した部分である円筒部（１８−１ａ）の外径は吸入口２２の内径と同等か、やや大きい径で、軸支持部より大きな径とする。円筒部（１８−１ａ）の上部の端面（１８−１ｄ）には、接触摺動させるスラストワッシャー２８を配置し、スラスト軸受を形成させる。スラストワッシャー２８は上ケーシング２４に回転方向に拘束した状態で軸受（１８−１）の端面（１８−１ｄ）に接触させている。このようにスラスト軸受を形成させることで、液体の吸入口２２への還流を防止する。更に軸受（１８−１）に軸直角方向に吸入口２２から羽根車２５を経由して吐出口２３に液体が流れる流路（案内部）を設ける。この流路は、例えば複数の貫通孔（１８−１ｃ）を羽根車２５の高さ位置に合わせて形成させている。
また、軸受（１８−１）の円筒部（１８−１ａ）の側面と、羽根プレート上２５ａの吸込穴３６の淵（破線で示す図２の範囲３７）とを摺接させることで、軸受（１８−１）に設けた貫通孔（１８−１ｃ）が羽根車２５の流路と連続した流路を成し、羽根２５ｃの有効長さを吸入口２２の内径側に延長することが可能となる。
また、羽根プレート上２５ａと羽根プレート下２５ｂとの圧力差を軽減し、スラスト軸受に働く推力を減らし摩擦損失を減らすことが出来る。また、従来は、羽根車２５の中央部の空洞部分には上ケーシング２４の軸支持部３５が入り込んでおり、羽根２５ｃの有効長さが短くなっていた。これに対してロータ部２１とともに回転する軸受（１８−１）に軸直角方向に流路となる貫通孔（１８−１ｃ）を設けたので、この流路が実質的に羽根２５ｃと同様に作用するので、内径側に羽根２５ｃを延長したのと同じ効果（シュラウドの効果）がある。
【００２４】
図面を参照して、ポンプ１１０の構成をさらに詳しく説明する。図２に示すように、ポンプ１１０は、液体を吸入する吸入口２２と、吸入された液体を吐出する吐出口２３とを備える。ポンプ１１０では、液体の吸入方向Ｘと吐出方向Ｙとが略直交する。ポンプ１１０は、軸２７、羽根車２５、軸受（１８−１）を備えている。軸２７は、吸入口２２の下方において、長手方向が吸入方向Ｘと略同じ方向になるように配置される。羽根車２５は、軸２７を中心に回転する円盤形状である。図３の（ａ）に示すように、羽根車２５は、吸入方向Ｘから見た場合の円盤形状における中央の領域である中央領域２５ｄ以降から半径方向に放射状に形成された複数の羽根２５ｃを有する。
【００２５】
図２に示すように、羽根車２５は、軸２７の方向を高さ方向とした場合に複数の羽根２５ｃが吐出口２３と略同じ高さになるように配置される。ポンプ１１０は、軸２７を中心に羽根車２５と一体となったロータ部２１が回転することによって吸入口２２から液体を吸入して吐出口２３から吐出する。軸受（１８−１）は、軸２７を受ける。軸受（１８−１）は、羽根車２５の中央領域２５ｄに配置される案内部（流路）を有する。軸受（１８−１）では、案内部は貫通孔（１８９−１ｃ）である。貫通孔（１８−１ｃ）は、吸入口２２から吸入された液体を吐出口２３に案内する。貫通孔（１８−１ｃ）は、図５、図７、図８等に示すように、例えば、８個形成されているが、個数に制限はなくいくつでもよく、流路断面形状は任意でよく、また、内径から外径に向かって面積が大きくなっても構わない。
【００２６】
（シール性能）
また羽根車２５は、図２に示すように、羽根プレート上２５ａ、羽根プレート下２５ｂ及び複数の羽根２５ｃとから構成される。羽根プレート上２５ａは、円盤形状である羽根車２５の上側を構成し、中央部に吸入口２２から吸入される液体が吸い込まれる円形の開口である吸込穴３６（図３の（ａ））が形成されている。羽根プレート下２５ｂは、円盤形状の下側を構成し、羽根プレート上２５ａに対向して配置される。複数の羽根２５ｃは、羽根プレート上２５ａと羽根プレート下２５ｂとの間に形成されてもよいし、また、羽根２５ｃは羽根プレート上２５ａ又は羽根プレート下２５ｂと一体に形成しても構わない。
軸受（１８−１）は、図５に示すように、中空の円筒部（１８−１ａ）と、円筒部（１８−１ａ）の下側に引き続いて形成される中空厚肉の厚肉円筒部（１８−１ｂ）（案内部の一例）を備える。円筒部（１８−１ａ）は、図２に示すように、羽根プレート上２５ａの吸込穴３６に嵌り、かつ、側面が吸込穴３６の周縁に密着（図２の範囲３７）する。密着させる手段としては、例えば、溶着等を用いることができる。厚肉円筒部（１８−１ｂ）は、円筒部（１８−１ａ）の肉厚よりも厚い肉厚であり、軸２７に対して略直角方向にその肉厚部分に複数の貫通孔（１８−１ｃ）が形成されている。
ポンプ１１０では、円筒部（１８−１ａ）の側面が吸込穴３６の周縁に摺接（図２の範囲３７）するので、還流を防止できる。
【００２７】
（スラスト軸受）
図２に示すように、ポンプ１１０は、吸入口２２が形成された上ケーシング２４と、上ケーシング２４によって軸２７まわりの回転を拘束されて支持されるスラストワッシャー２８とを備えている。軸受（１８−１）は、円筒部（１８−１ａ）の上側の端面（１８−１ｄ）と、スラストワッシャー２８と、スラストワッシャー２８を支持する上ケーシングの支持部２４ｂとによって、スラスト軸受を構成する。
【００２８】
本実施の形態１の軸受（１８−１）は、１つの部品（図５参照）で、ラジアル方向とスラスト方向双方の軸受機能を併せ持つため、ラジアル、スラストを別々の軸受で受け持つ場合に比べて、寸法精度が高いという効果も有する。
【００２９】
（材料）
（１）実施の形態１で用いられる材料は、例えば上ケーシング２４は、変性ポリフェニレンエーテル（以下ｍ−ＰＰＥ）やポリフェニレンスルファイド（以下ＰＰＳ）、シンジオタクチックポリスチレン  （以下ＳＰＳ）などの耐熱水性、耐薬品性の熱可塑性樹脂で構成される。
（２）結合部材１９、羽根車２５（羽根プレート上２５ａ、羽根プレート下２５ｂ、羽根２５ｃ）もｍ−ＰＰＥ、ＰＰＳ、ＳＰＳ等の樹脂で構成される。
（３）下ケーシング１５はｍ−ＰＰＥ、ＰＰＳ、ＳＰＳ等の樹脂の他に、アルミ、ステンレス、銅などの金属を用いても良い。
（４）軸２７は、ステンレス、セラミックなどで構成される。（５）磁石部２０はフェライト系、ネオジウム系、サマリウム鉄窒素系等から選ばれる１種または複数を混合した磁粉とポリアミドやＰＰＳなどのバインダー樹脂と混合したプラスチック磁石部で構成される。
（６）軸受（１８−１）は、カーボンファイバーやフッソ樹脂を含有したＰＰＳなど摺動性、耐摩耗性に優れる熱可塑性樹脂や、焼結カーボン、セラミックなどで構成される。
（７）なお結合部材１９（羽根プレート下２５ｂを含む）は軸受（１８−１）を同一材料で一体に成形しても良く、その場合は形状自由度の高い樹脂でかつ摺動性に優れるカーボンファイバーやフッソ樹脂を含有したＰＰＳで成形するのが好ましい。
（８）スラストワッシャー２８はセラミックやステンレスで構成されるが、カーボンファイバーやフッソ樹脂を含有したＰＰＳで構成しても良い。
（９）なお互いに接触摺動する軸受を構成する部位は同種材料ではなく、異種材料とした方がカジリ等が発生し難く好ましい。
【００３０】
実施の形態１のポンプ１１０は、以上のような構成にしたため、スラスト軸受の摩擦損失を減らし、羽根有効長さを吸入口２２の内径側に延長すると共に吸入口２２への液体の還流を防止して高効率で高寿命なポンプ及びヒートポンプ装置の提供が可能となる。
【００３１】
実施の形態２．
実施の形態２は、軸受の構造が実施の形態１と異なる。実施の形態２の軸受（１８−２）は、実施の形態１の軸受（１８−１）に対して、流路となる複数の貫通孔を、複数の羽根（１８ｃ−２）とした構成である。それ以外は、実施の形態１と同様である。従って軸２７及び軸受（１８−２）は、実施の形態１と同様に、ロータ部２１と一体となって回転する。
【００３２】
図９〜図１０を参照して実施の形態２のポンプ１２０を説明する。
図９は、実施の形態２のポンプ１２０の断面図である。
図１０は、軸受（１８−２）の斜視図である。軸受（１８−２）は、吸入口２２から吸入された液体を吐出口２３に案内する案内部として、複数の羽根（１８ｃ−２）を備えている。
図１１は、軸受（１８−２）の平面図（Ｘ方向矢視）である。
【００３３】
図１０に示すように、軸受（１８−２）の一部に、軸直角方向に吸入口２２から羽根車２５を経由して吐出口２３に液体が流れる流路を、複数の羽根（１８ｃ−２）によって形成することによっても、実施の形態１の軸受（１８−１）と同等の効果を奏する。この場合、羽根（１８ｃ−２）は、羽根車２５の羽根２５ｃの形状に対応する形状としてもよい。すなわち、羽根（１８ｃ−２）は、羽根２５ｃが円弧やインボリュート曲線といった場合、同一の成型規則（同じ曲率半径あるいはインボリュート曲線で形成）で形成してもよい。軸受（１８−２）に設ける羽根（１８−２ｄ）の枚数は、羽根車２５の羽根２５ｃと同数か、それよりも多くても少なくても構わない。その他の構成は実施の形態１と同等である。
【００３４】
実施の形態３．
実施の形態３のポンプ１３０を説明する。実施の形態３のポンプ１３０は、実施の形態２の軸受軸受（１８−２）を、上側と下側とに２分割した場合を説明する。なお、ポンプ１３０では軸２７及び上側軸受（１８−３ａ）がロータ部２１と一体となって回転する。
【００３５】
図１２〜図１４を参照して、実施の形態３のポンプ１３０を説明する。図１２は、実施の形態３のポンプ１３０の断面図である。図１１に示すようにポンプ１３０では、軸受は、上側軸受（１８−３ａ）と下側軸受（１８−３ｂ）との、上下２分割の構成である。上側軸受（１８−３ａ）は、吸入口２２側で軸２７の一方の端部を受けると共に案内部である複数の羽根（１８ｃ−３）（図１３）を有する。下側軸受（１８−３ｂ）は、吸入口２２の反対側で、軸２７の他方の端部を受ける。
図１３は、上側軸受（１８−３ａ）の斜視図である。上側軸受（１８−３ａ）は、案内部である複数の羽根（１８ｃ−３）を有する。
図１４は正面図（図１のＸ方向矢視）およびＤ−Ｄ断面図である。
【００３６】
（ロータ部２１）
図１２に示すように、磁石部２０と軸２７とは結合部材１９で一体に成形される。また、結合部材１９は、羽根プレート下２５ｂを兼ねている。これら（磁石部２０、軸２７、結合部材１９）は、回転方向にも軸方向にも拘束固着し一体化されている。羽根プレート下２５ｂに、羽根２５ｃと羽根プレート上２５ａとが溶着などにより固着され一体となっている。このように、磁石部２０、結合部材１９、軸２７、上側軸受（１８−３ａ）等は、ロータを形成する。
【００３７】
図１２に示すように、下ケーシング１５の軸穴１５ａには、下側軸受（１８−３ｂ）が回転方向に拘束された状態で嵌入される。下側軸受（１８−３ｂ）には、ロータ部２１と一体となった軸２７の下端部が回転自在の状態で挿入される。軸２７の上端部には、上側軸受（１８−３ａ）が軸２７に対して回転方向に拘束された状態で挿入される。すなわち、上側軸受（１８−３ａ）とロータ部２１とは一体に回転する。
【００３８】
（上側軸受（１８−３ａ））
図１３、図１４に示すように、上側軸受（１８−３ａ）の上部は三角錐形状を成し、吸入口２２の径の外側（下側）でスラストワッシャー２８とスラストおよびラジアル方向で接触摺動する。図１３では上側軸受（１８−３ａ）へのスラストワッシャー２８の取付状態を示している。スラストワッシャー２８は回転方向に拘束された状態で上ケーシング２４の吸入口２２に設置されている。スラストワッシャー２８を回転方向に拘束する方法は、例えば、図１３のように外周の一部をカットして切り欠き部２８−１を設け、上ケーシング２４の対向位置も同形状（スラストワッシャー２８の切り欠き部２８−１に対向する部分を同形状で凸）とする。上側軸受（１８−３ａ）の上部には図１３に示すように、羽根（１８ｃ−３）を設け、横断面形状（図１４の（ａ）に示す羽根（１８ｃ−３）の形状じ同じ）を羽根車２５の羽根２５ｃと近似した形状（略同一の形状）とし、枚数、位相も近似（略同一）させ、羽根（１８ｃ−３）（案内部）によって流路を形成する。その他の構成は実施の形態１と同等である。
【００３９】
実施の形態３の構成によっても、実施の形態１と同様の効果を得ることができる。
【００４０】
以上の実施の形態１〜３で説明したポンプ１１０〜１４０は、ヒートポンプ装置１００内の液体を搬送、循環させる時に使用するポンプ２の例を示したが、家庭用ポンプなどにも利用可能である。
【符号の説明】
【００４１】
１  圧縮機、３ａ，３ｂ  熱交換器、４  液体回路、５  冷媒回路、８  液体、９  冷媒、１０  鉄心、１１  巻線、１２  インシュレータ（絶縁部材）、１３  回路基板、１４  リード線、１５  下ケーシング、１５ａ  下ケーシング軸孔、１６  モールド樹脂、１７  ステータ部、１８−１，１８−２  軸受、１８−３ａ，１８−４ａ  上側軸受、１８−３ｂ，１８−４ｂ  下側軸受、１８−１ａ  円筒部、１８−１ｂ  厚肉円筒部、１８−１ｃ  貫通孔、１８−１ｄ  端面、１８ｃ−２，１８ｃ−３，１８ｃ−４  羽根、１９  結合部材、２０  磁石部、２１  ロータ部、２２  吸入口、２３  吐出口、２４  上ケーシング、２４ａ  軸孔、２４ａ−１  脚、２４ｂ  支持部、２５  羽根車、２５ａ  羽根プレート上、２５ｂ  羽根プレート下、２５ｃ  羽根、２５ｄ  中央領域、２６  ポンプ部、２７  軸、２８  スラストワッシャー、３０  流路、３５  軸支持部、３６  吸込穴、３７  範囲、１００  ヒートポンプ装置、１１０，１２０，１３０，１４０  ポンプ。
【図１】
0005465098.tif 000002
【図２】
0005465098.tif 000003
【図３】
0005465098.tif 000004
【図４】
0005465098.tif 000005
【図５】
0005465098.tif 000006
【図６】
0005465098.tif 000007
【図７】
0005465098.tif 000008
【図８】
0005465098.tif 000009
【図９】
0005465098.tif 000010
【図１０】
0005465098.tif 000011
【図１１】
0005465098.tif 000012
【図１２】
0005465098.tif 000013
【図１３】
0005465098.tif 000014
【図１４】
0005465098.tif 000015
【図１５】
0005465098.tif 000016